(57)【要約】【課題】従来のものは、シートが車体に固定式となっており、装置を追加したい時など脱着が困難であり、シートの対面にパッドがなくひざが当るなど不具合があった。この発明はこうした不具合を無くすことを課題とした。【解決手段】リーチフォークリフトの運転室５を形成する側板５１の内側面に着脱可能なベースボード１と、該ベースボード１に設けられた複数の係合部１１に係合可能な係合部としての上フック２３を有する臀部パッド２、ベースボード１の上端近傍に着脱可能な腰パッド３、或いは側板５１とほぼ対面する位置に、着脱可能なひざパッド４を設け、各々単独に位置や角度が調整可能とした姿勢保持パッドとしている。【選択図】図１
2004083188.tif 000002
【特許請求の範囲】
【請求項１】
リーチフォークリフトの運転室（５）を形成する側板（５１）の内側面に着脱可能なベースボード（１）と、該ベースボード（１）に設けられた複数の係合部（１１）に係合可能な係合部としての上フック（２３）を有する臀部パッド（２）とから構成されたことを特徴とする姿勢保持パッド。
【請求項２】
上記ベースボード（１）の上端近傍に、着脱可能な腰パッド（３）を設けたことを特徴とする請求項１記載の姿勢保持パッド。
【請求項３】
リーチフォークリフトの運転室（５）を形成する側板（５１）とほぼ対面する位置に、着脱可能なひざパッド（４）を設けたことを特徴とする請求項１または請求項２記載の姿勢保持パッド。
【発明の詳細な説明】
【０００１】
【発明の属する技術分野】
この発明はリーチフォークリフトの運転室に設けられるオペレータシートに関するものである。
【０００２】
【従来の技術】
従来のリーチフォークリフトの運転室は、図１３に示すようにハンドル装置収納部、レバー装置収納部および側板とによって囲まれた空間となっており、オペレータは立った姿勢で運転並びに作業機操作を行っている。シートを設けるものは特殊仕様であり、オペレータシートには、特開２０００−１６９０９４号公報に開示されたものなどがあった。
【０００３】
【発明が解決しようとする課題】
しかし上述の従来のものは、折りたたみ式等の構造であるが、シート装置の構造が複雑であり、設置のためのスペースをかなり必要とする。またシート装置そのものが車体の側板に固定式となっているため、乗降頻度の高い作業現場へ移動した場合、運転室スペースがシート装置により狭められてしまいシート装置が付いたままでは乗降性が悪くなるなどの問題があった。この発明はこうした不具合を無くすことを課題とした。
【０００４】
【課題を解決するための手段及び作用効果】
この発明は上記の課題に対処するためになされたもので、請求項１記載の発明はリーチフォークリフトの運転室を形成する側板の内側面に着脱可能なベースボードと、該ベースボードに設けられた複数の係合部に係合可能な係合部としての上フックを有する臀部パッドとから構成されたことを特徴とする姿勢保持パッドである。
【０００５】
上述の構成により、オペレータは自分に合ったパッドを選び、自身の身体サイズに合わせた一番運転し易い姿勢を保持できるように、それぞれの調整をすることが可能となり、運転作業中の疲労を少なくすることに効果を発揮すると共に、臀部パッド、腰パッドはベースプレートごと着脱可能であり、またひざパッドも容易に着脱できることにより、シート装置が不要となった場合でも容易に取り外せるため、乗降頻度の高い作業現場にも即対応可能となる。
【０００６】
請求項２記載の発明は上記ベースボードの上端近傍に、着脱可能な腰パッドを設けたことを特徴とする請求項１記載の姿勢保持パッドである。
【０００７】
この構成によってもオペレータが自身の身体サイズに合わせた腰パッドを選んで使用できることになり、疲労防止の効果が大きい。
【０００８】
請求項３記載の発明はリーチフォークリフトの運転室を形成する側板とほぼ対面する位置に、着脱可能なひざパッドを設けたことを特徴とする請求項１または請求項２記載の姿勢保持パッドである。
【０００９】
この構成によってもひざパッドを選んで使用でき、疲労防止の効果が大きい。
【００１０】
【発明の実施の形態】
以下この発明の実施例について、図面により説明する。
図１はこの発明によるリーチフォークリフトのオペレータ用の姿勢保持パッド配置を示す後面図、図２、図３は同じく姿勢保持パッドの別な配置実施例を示す上面図であり、図４乃至図１２までは、それぞれベースボード、臀部パッド、腰パッド、ひざパッドの実施例を示す斜視図である。
【００１１】
図１に示すように、リーチフォークリフトのオペレータは、運転室５に立った姿勢で運転・操作を行っているが、疲労防止や安全作業のために姿勢を保持するための工夫がいろいろ行われていて、パッド取り付けに必要なベースボード１と取り付けられる主なものに、臀部パッド２、腰パッド３、ひざパッド４などがある。
【００１２】
図２と図３は、図１に示したリーチフォークリフトの姿勢保持パッド配置の第１実施例を、オペレータができるだけ作業機や操作レバーのある前面向きとなるように、ベースプレート１や姿勢保持パッドの取り付けを考慮した第２実施例、と第３実施例のものを示している。
【００１３】
図３のように運転室への乗降口をベースプレート１が塞ぐようになる場合は、乗降頻度と作業容易性との取り合いを考慮して、ベースプレート１の取り付け位置を決める必要が生じる。
【００１４】
図４は臀部パッド２や腰パッド３などを取り付けるためのベースボード１の第１実施例を示す斜視図で、臀部パッド２の上フック２３を引掛けるための複数本のバー１４から成る係合部１１と、車体側板５１に引掛けるためのフック１２、及び固定用のボルト穴１３を有する梯子形状をしたものとなっている。
【００１５】
図５は臀部パッド２を取り付けるためのベースボード１の第２実施例を示す斜視図で、フック１２を省略している点が前項の第１実施例のものと異なる。
【００１６】
図６は臀部パッド２を取り付けるためのベースボード１の第３実施例を示す斜視図で、フック１２の構成が第１実施例と異なるものである。
【００１７】
図７は臀部パッド２を取り付けるためのベースボード１の第４実施例を示す斜視図で、臀部パッド２を引掛けるため、前述の複数本のバー１４に代えスリット１６を係合部１１として設けたもので、臀部パッド２の上フック２３をスリット１６に引掛ける時のフォークリフト側板５１との間の隙間を作るスペーサ１７が取り付けられている。
【００１８】
図８は臀部パッド２の第１実施例を示す斜視図で、クッション２１が取り付けられた台２２に、ベースボード１の係合部１１に引掛けるための上フック２３と、その反対側に一本の下フック２４を揺動自在に取り付けたものとなっている。
【００１９】
図９は臀部パッド２の第２実施例を示す斜視図で、２本で構成された下フック２５を取り付けた点が前項の第１実施例とは異なっている。
【００２０】
図１０は臀部パッド２の第３実施例を示す斜視図で、前項の第２実施例の下フック２５をつないで、２本のものを１本のコの字状とした下フック２６となり、この図１０の場合には、ベースボード１には係合部１１として、バー１４に変えて、樋状の受け１５を複数個設けたものとなっている。
【００２１】
図１１は腰パッド３の斜視図で、クッションの下側に設けられた取付穴３１を使ってベースボード１に取り付けられるようになっている。また他の取り付け方法としては、図示しないが、マジックテープ（登録商標）などで取り付けてもよい。
【００２２】
図１２はひざパッド４の斜視図で、運転室５の臀部パッド２の取り付けとは反対側の、ハンドルのある走行装置収納部分のカバー側面に、オペレータの身体に合わせてマグネット４１あるいはマジックテープ（登録商標）を使って取り付けられ、クッションがオペレータの曲げた脚の膝部に当たるように調節することにより、操作姿勢を安定できると共に腰痛をできる等健康面での効果も期待できる。
ひざパッドは図２、図３に示すようにハンドル側のカバー側面一面に限らなくてもよく、車両の運転室の大きさなどを勘案して決めると良い。
【００２３】
オペレータは、上述の各種パッドのうち自分に合ったものを選び、一番自身の楽な操作姿勢になるようにして、取り付けることにより疲労が少なく荷役作業を遂行できると共に、乗降頻度の高い作業現場では、シート装置を容易に取り外せるため、作業を能率的に実施できるなどの効果を有する。
【図面の簡単な説明】
【図１】この発明によるリーチフォークリフトの姿勢保持パッド配置の第１実施例を示す後面図である。
【図２】この発明による姿勢保持パッド配置の第２実施例を示す上面図である。
【図３】この発明による姿勢保持パッド配置の第３実施例を示す上面図である。
【図４】ベースボードの第１実施例の斜視図である。
【図５】ベースボードの第２実施例の斜視図である。
【図６】ベースボードの第３実施例の斜視図である。
【図７】ベースボードの第４実施例の斜視図である。
【図８】臀部パッドの第１実施例の斜視図である。
【図９】臀部パッドの第２実施例の斜視図である。
【図１０】臀部パッドの第３実施例の斜視図である。
【図１１】腰パッドの斜視図である。
【図１２】ひざパッドの斜視図である。
【図１３】従来のリーチフォークリフト運転室側の斜視図である。
【符号の説明】
１　ベースボード
１１　係合部
２　臀部パッド
２３　上フック
３　腰パッド
４　ひざパッド
５　運転室
５１　側板
【図１】
2004083188.tif 000003
【図２】
2004083188.tif 000004
【図３】
2004083188.tif 000005
【図４】
2004083188.tif 000006
【図５】
2004083188.tif 000007
【図６】
2004083188.tif 000008
【図７】
2004083188.tif 000009
【図８】
2004083188.tif 000010
【図９】
2004083188.tif 000011
【図１０】
2004083188.tif 000012
【図１１】
2004083188.tif 000013
【図１２】
2004083188.tif 000014
【図１３】
2004083188.tif 000015